(57)【要約】【目的】  間仕切壁を床上にて安定性高く立設支持できる新しい間仕切壁の立設構造を提供する。【構成】  間仕切壁（１）を台座（３）を介して床（２）に立設する間仕切壁の立設構造であって、台座（３）は、断面略ロ字型であり、その下面（３１）及び上面（３２）にはドライバー挿入口（３１１）及びネジ貫通孔（３２１）が設けられ、側面（３３）及び下面（３１）にはドライバー挿入口（３３１）及びネジ貫通孔（３１２）が設けられており、この台座（３）を、下面（３１）のドライバー挿入口（３１１）からドライバーを挿入させて上面（３２）のネジ貫通孔（３２１）にて固定ネジ（４）を間仕切壁（１）の下端面にねじ込むことで、間仕切壁（１）にネジ固定させ、この固定後に間仕切壁（１）を台座（３）とともに床（２）に載置させ、この載置後に台座（３）を、側面（３３）のドライバー挿入口（３３１）からドライバーを挿入させて下面（３１）のネジ貫通孔（３１２）にて固定ネジ（５）を床面（２１）にねじ込むことで、床（２）にネジ固定させる。【選択図】図１
2004278294.tif 000002
【特許請求の範囲】
【請求項１】
間仕切壁を台座を介して床に立設する間仕切壁の立設構造であって、
台座は、断面略ロ字型であり、その下面および上面には間仕切壁との固定用のドライバー挿入口およびネジ貫通孔が設けられ、側面および下面には床との固定用のドライバー挿入口およびネジ貫通孔が設けられており、
この台座を、下面のドライバー挿入口からドライバーを挿入させて上面のネジ貫通孔にて固定ネジを間仕切壁の下端面にねじ込むことで、間仕切壁にネジ固定させ、
この固定後に間仕切壁を、台座とともに床に載置させ、
この載置後に台座を、側面のドライバー挿入口からドライバーを挿入させて下面のネジ貫通孔にて固定ネジを床面にねじ込むことで、床にネジ固定させることを特徴とする間仕切壁の立設構造。
【請求項２】
台座上面には間仕切壁との固定用の突起がさらに設けられており、台座を間仕切壁にネジ固定させる際に当該突起を間仕切壁の下端面に食い込ませることを特徴とする請求項１記載の間仕切壁の立設構造。
【請求項３】
台座上面には間仕切壁との位置決め用のガイド突起がさらに設けられており、台座を間仕切壁にネジ固定させる際に当該ガイド突起に従って台座と間仕切壁下端面との位置決めが行われることを特徴とする請求項１記載の間仕切壁の立設構造。
【請求項４】
台座下面に設けられた前記ネジ貫通孔は、台座下面にて台座側面方向を向くように形成された傾斜部に設けられていることを特徴とする請求項１記載の間仕切壁の立設構造。
【請求項５】
台座下面に設けられた前記傾斜部は、台座下面の略中央に位置する盛上り部に設けられていることを特徴とする請求項４記載の間仕切壁の立設構造。
【請求項６】
床には上面の略中央位置に中央突出部を有するランナーが設けられており、台座を床にネジ固定させる際に、当該ランナーの中央突出部を台座下面の前記盛上り部の下側空間に嵌め、且つ盛上り部に設けた前記傾斜部にある前記ネジ貫通孔にて固定ネジをランナーにねじ込ませることを特徴とする請求項５記載の間仕切壁の立設構造。
【請求項７】
床に設けられた前記ランナーの両側には、台座をランナーにネジ固定させる際に台座の側面から離れる方向に傾斜した傾斜突出部が設けられていることを特徴とする請求項６記載の間仕切壁の立設構造。
【請求項８】
床には断面略Ｌ字型のランナーが設けられており、当該ランナーに台座をネジ固定させることを特徴とする請求項５記載の間仕切壁の立設構造。
【請求項９】
台座の内部空間が配線スペースとして利用されることを特徴とする請求項１ないし８のいずれかに記載の間仕切壁の立設構造。
【請求項１０】
台座側面のドライバー挿入口が内部配線スペースと外部との通線口として利用されることを特徴とする請求項９記載の間仕切壁の立設構造。
【請求項１１】
台座が一枚板から折り曲げ成形されたものであって、成形時に台座上面における一枚板の端部同士が対向する部分に間隙が残っている場合において、当該間隙が内部配線スペースと外部との通線口として利用されることを特徴とする請求項９記載の間仕切壁の立設構造。
【請求項１２】
間仕切壁を床に立設する際の間仕切壁用台座であって、
断面略ロ字型を有し、その下面および上面には間仕切壁との固定用のドライバー挿入口およびネジ貫通孔が設けられ、側面および下面には床との固定用のドライバー挿入口およびネジ貫通孔が設けられており、
下面のドライバー挿入口からドライバーを挿入させて上面のネジ貫通孔にて固定ネジを間仕切壁の下端面にねじ込むことで、間仕切壁にネジ固定され、
この固定後に間仕切壁とともに床に載置された後、側面のドライバー挿入口からドライバーを挿入させて下面のネジ貫通孔にて固定ネジを床面にねじ込むことで、床にネジ固定されることを特徴とする間仕切壁用台座。
【請求項１３】
台座上面には間仕切壁との固定用の突起がさらに設けられており、間仕切壁にネジ固定される際に当該突起を間仕切壁の下端面に食い込ませることを特徴とする請求項１２記載の間仕切壁用台座。
【請求項１４】
台座上面には間仕切壁との位置決め用のガイド突起がさらに設けられており、間仕切壁にネジ固定される際に当該ガイド突起に従って間仕切壁下端面と位置決めされることを特徴とする請求項１２記載の間仕切壁用台座。
【請求項１５】
台座下面に設けられた前記ネジ貫通孔は、台座下面にて台座側面方向を向くように形成された傾斜部に設けられていることを特徴とする請求項１２記載の間仕切壁用台座。
【請求項１６】
台座下面に設けられた前記傾斜部は、台座下面の略中央に位置する盛上り部に設けられていることを特徴とする請求項１５記載の間仕切壁用台座。
【請求項１７】
床に上面の略中央位置に中央突出部を有するランナーが設けられている場合において、床にネジ固定される際に、台座下面の前記盛上り部の下側空間にランナーの中央突出部が嵌めこまれ、且つ盛上り部に設けた前記傾斜部にある前記ネジ貫通孔にて固定ネジがランナーにねじ込まれるようになっていることを特徴とする請求項１６記載の間仕切壁用台座。
【請求項１８】
内部空間が配線スペースとして利用可能となっていることを特徴とする請求項１２ないし１７のいずれかに記載の間仕切壁用台座。
【請求項１９】
台座側面のドライバー挿入口が内部配線スペースと外部との通線口として利用可能となっていることを特徴とする請求項１８記載の間仕切壁用台座。
【請求項２０】
一枚板から折り曲げ成形されたものであって、成形時に台座上面における一枚板の端部同士が対向する部分に間隙が残っている場合において、当該間隙が内部配線スペースと外部との通線口として利用可能となっていることを特徴とする請求項１８記載の間仕切壁用台座。
【請求項２１】
端部開口のエッジが面取りされていることを特徴とする請求項１８記載の間仕切壁用台座。
【請求項２２】
端部開口に外方に折られた折返し片が設けられていることを特徴とする請求項１８記載の間仕切壁用台座。
【請求項２３】
端部開口にパッキンが設けられていることを特徴とする請求項１８記載の間仕切壁用台座。
【請求項２４】
請求項１２ないし２３のいずれかに記載の間仕切壁用台座を用いた間仕切壁施工方法であって、
間仕切壁用台座を、下面のドライバー挿入口からドライバーを挿入させて上面のネジ貫通孔にて固定ネジを間仕切壁の下端面にねじ込むことで、間仕切壁にネジ固定させ、
この固定後に間仕切壁を、間仕切壁用台座とともに床に載置させ、
この載置後に間仕切壁用台座を、側面のドライバー挿入口からドライバーを挿入させて下面のネジ貫通孔にて固定ネジを床面にねじ込むことで、床にネジ固定させることを特徴とする間仕切壁施工方法。
【請求項２５】
請求項１２ないし２３のいずれかに記載の間仕切壁用台座を用いた間仕切壁施工方法であって、
間仕切壁用台座を、下面のドライバー挿入口からドライバーを挿入させて上面のネジ貫通孔にて固定ネジを組立済みの間仕切壁の下部芯材にねじ込むことで、間仕切壁にネジ固定させ、
この固定後に間仕切壁を、間仕切壁用台座とともに床に載置させ、
この載置後に間仕切壁用台座を、側面のドライバー挿入口からドライバーを挿入させて下面のネジ貫通孔にて固定ネジを床面にねじ込むことで、床にネジ固定させることを特徴とする間仕切壁施工方法。
【請求項２６】
請求項１２ないし２３のいずれかに記載の間仕切壁用台座を用いた間仕切壁施工方法であって、
間仕切壁用台座を、下面のドライバー挿入口からドライバーを挿入させて上面のネジ貫通孔にて固定ネジを間仕切壁を構成する下部芯材にねじ込むことで、下部芯材にネジ固定させ、
この固定後に下部芯材を、間仕切壁用台座とともに床に載置させ、
この載置後に間仕切壁用台座を、側面のドライバー挿入口からドライバーを挿入させて下面のネジ貫通孔にて固定ネジを床面にねじ込むことで、床にネジ固定させ、
そして、下部芯材の上に他の芯材を組み上げ、板材を貼り付けて間仕切壁を組み立てることを特徴とする間仕切壁施工方法。
【請求項２７】
請求項１２ないし２３のいずれかに記載の間仕切壁用台座を用いた間仕切壁施工方法であって、
間仕切壁用台座を、下面のドライバー挿入口からドライバーを挿入させて上面のネジ貫通孔にて固定ネジを間仕切壁を構成する下部芯材にねじ込むことで、下部芯材にネジ固定させ、
この固定後に下部芯材を、間仕切壁用台座とともに床に載置させ、
この載置後に間仕切壁用台座を、側面のドライバー挿入口からドライバーを挿入させて下面のネジ貫通孔にて固定ネジを床面にねじ込むことで、床にネジ固定させ、
そして、下部芯材の上に軽鉄ランナーを固定し、軽鉄ランナーの上に軽鉄スタッドを組み上げ、板材を貼り付けて間仕切壁を組み立てることを特徴とする間仕切壁施工方法。
【発明の詳細な説明】
【技術分野】
【０００１】
この出願の発明は、間仕切壁の立設構造および間仕切壁用台座ならびに間仕切壁施工方法に関するものである。さらに詳しくは、この出願の発明は、間仕切壁を床上にて安定性高く立設支持することのできる、新しい間仕切壁の立設構造および間仕切壁用台座ならびに間仕切壁施工方法に関するものである。
【背景技術】
【０００２】
従来、部屋空間などを間仕切るための間仕切壁については、床面に台座を固定し、この台座に間仕切壁を載置して立設支持するようにした立設構造が知られている（特許文献１，２参照）。
【特許文献１】特開２００２−３８６３６号公報
【特許文献２】特開平１１−１４８１９２号公報
【発明の開示】
【発明が解決しようとする課題】
【０００３】
しかしながら、上記特許文献１，２のいずれにおいても、床面に固定した台座に間仕切壁を載置するだけであるため、間仕切壁の安定性が十分に得られないという不都合が考えられる。
【０００４】
特許文献１記載のものでは、間仕切壁の下面に設けた位置決め部材を配管レールと称した台座の上面に設けた開口に嵌め込むだけであり、しっかりとした固定は実現されていない。
【０００５】
特許文献２記載のものでは、間仕切壁を床側受け材と称した台座と天井側受け材との間にケンドン式にてセットするだけであり、やはりしっかりとした固定は実現されていない。
【０００６】
このような立設構造では、特に床が二重床構造のものである場合、重量物が載置されるなどして床面が沈み込む際に間仕切壁が台座から離れて浮いてしまい、安定性がより悪くなる。
【０００７】
そこで、この出願の発明は、以上のとおりの事情に鑑み、間仕切壁を床上にて安定性高く立設支持することのできる、新しい間仕切壁の立設構造および間仕切壁用台座ならびに間仕切壁施工方法を提供することを課題としている。
【課題を解決するための手段】
【０００８】
この出願の発明は、上記の課題を解決するものとして、第１には、間仕切壁を台座を介して床に立設する間仕切壁の立設構造であって、台座は、断面略ロ字型であり、その下面および上面には間仕切壁との固定用のドライバー挿入口およびネジ貫通孔が設けられ、側面および下面には床との固定用のドライバー挿入口およびネジ貫通孔が設けられており、この台座を、下面のドライバー挿入口からドライバーを挿入させて上面のネジ貫通孔にて固定ネジを間仕切壁の下端面にねじ込むことで、間仕切壁にネジ固定させ、この固定後に間仕切壁を、台座とともに床に載置させ、この載置後に台座を、側面のドライバー挿入口からドライバーを挿入させて下面のネジ貫通孔にて固定ネジを床面にねじ込むことで、床にネジ固定させることを特徴とする間仕切壁の立設構造を提供する。
【０００９】
第２には、台座上面には間仕切壁との固定用の突起がさらに設けられており、台座を間仕切壁にネジ固定させる際に当該突起を間仕切壁の下端面に食い込ませることを特徴とする前記間仕切壁の立設構造を提供する。
【００１０】
第３には、台座上面には間仕切壁との位置決め用のガイド突起がさらに設けられており、台座を間仕切壁にネジ固定させる際に当該ガイド突起に従って台座と間仕切壁下端面との位置決めが行われることを特徴とする前記間仕切壁の立設構造を提供する。
【００１１】
第４には、台座下面に設けられた前記ネジ貫通孔は、台座下面にて台座側面方向を向くように形成された傾斜部に設けられていることを特徴とする前記間仕切壁の立設構造を提供する。
【００１２】
第５には、台座下面に設けられた前記傾斜部は、台座下面の略中央に位置する盛上り部に設けられていることを特徴とする前記間仕切壁の立設構造を提供する。
【００１３】
第６には、床には上面の略中央位置に中央突出部を有するランナーが設けられており、台座を床にネジ固定させる際に、当該ランナーの中央突出部を台座下面の前記盛上り部の下側空間に嵌め、且つ盛上り部に設けた前記傾斜部にある前記ネジ貫通孔にて固定ネジをランナーにねじ込ませることを特徴とする前記間仕切壁の立設構造を提供する。
【００１４】
第７には、床に設けられた前記ランナーの両側には、台座をランナーにネジ固定させる際に台座の側面から離れる方向に傾斜した傾斜突出部が設けられていることを特徴とする前記間仕切壁の立設構造を提供する。
【００１５】
第８には、床には断面略Ｌ字型のランナーが設けられており、当該ランナーに台座をネジ固定させることを特徴とする前記間仕切壁の立設構造を提供する。
【００１６】
第９には、台座の内部空間が配線スペースとして利用されることを特徴とする前記間仕切壁の立設構造を提供する。
【００１７】
第１０には、台座側面のドライバー挿入口が内部配線スペースと外部との通線口として利用されることを特徴とする前記間仕切壁の立設構造を提供する。
【００１８】
第１１には、台座が一枚板から折り曲げ成形されたものであって、成形時に台座上面における一枚板の端部同士が対向する部分に間隙が残っている場合において、当該間隙が内部配線スペースと外部との通線口として利用されることを特徴とする前記間仕切壁の立設構造を提供する。
【００１９】
第１２には、間仕切壁を床に立設する際の間仕切壁用台座であって、断面略ロ字型を有し、その下面および上面には間仕切壁との固定用のドライバー挿入口およびネジ貫通孔が設けられ、側面および下面には床との固定用のドライバー挿入口およびネジ貫通孔が設けられており、下面のドライバー挿入口からドライバーを挿入させて上面のネジ貫通孔にて固定ネジを間仕切壁の下端面にねじ込むことで、間仕切壁にネジ固定され、この固定後に間仕切壁とともに床に載置された後、側面のドライバー挿入口からドライバーを挿入させて下面のネジ貫通孔にて固定ネジを床面にねじ込むことで、床にネジ固定されることを特徴とする間仕切壁用台座を提供する。
【００２０】
第１３には、台座上面には間仕切壁との固定用の突起がさらに設けられており、間仕切壁にネジ固定される際に当該突起を間仕切壁の下端面に食い込ませることを特徴とする前記間仕切壁用台座を提供する。
【００２１】
第１４には、台座上面には間仕切壁との位置決め用のガイド突起がさらに設けられており、間仕切壁にネジ固定される際に当該ガイド突起に従って間仕切壁下端面と位置決めされることを特徴とする前記間仕切壁用台座を提供する。
【００２２】
第１５には、台座下面に設けられた前記ネジ貫通孔は、台座下面にて台座側面方向を向くように形成された傾斜部に設けられていることを特徴とする前記間仕切壁用台座を提供する。
【００２３】
第１６には、台座下面に設けられた前記傾斜部は、台座下面の略中央に位置する盛上り部に設けられていることを特徴とする前記間仕切壁用台座を提供する。
【００２４】
第１７には、床に上面の略中央位置に中央突出部を有するランナーが設けられている場合において、床にネジ固定される際に、台座下面の前記盛上り部の下側空間にランナーの中央突出部が嵌めこまれ、且つ盛上り部に設けた前記傾斜部にある前記ネジ貫通孔にて固定ネジがランナーにねじ込まれるようになっていることを特徴とする前記間仕切壁用台座を提供する。
【００２５】
第１８には、内部空間が配線スペースとして利用可能となっていることを特徴とする前記間仕切壁用台座を提供する。
【００２６】
第１９には、台座側面のドライバー挿入口が内部配線スペースと外部との通線口として利用可能となっていることを特徴とする前記間仕切壁用台座を提供する。
【００２７】
第２０には、一枚板から折り曲げ成形されたものであって、成形時に台座上面における一枚板の端部同士が対向する部分に間隙が残っている場合において、当該間隙が内部配線スペースと外部との通線口として利用可能となっていることを特徴とする前記間仕切壁用台座を提供する。
【００２８】
第２１には、端部開口のエッジが面取りされていることを特徴とする前記間仕切壁用台座を提供する。
【００２９】
第２２には、端部開口に外方に折られた折返し片が設けられていることを特徴とする前記間仕切壁用台座を提供する。
【００３０】
第２３には、端部開口にパッキンが設けられていることを特徴とする前記間仕切壁用台座を提供する。
【００３１】
第２４には、前記間仕切壁用台座を用いた間仕切壁施工方法であって、間仕切壁用台座を、下面のドライバー挿入口からドライバーを挿入させて上面のネジ貫通孔にて固定ネジを間仕切壁の下端面にねじ込むことで、間仕切壁にネジ固定させ、この固定後に間仕切壁を、間仕切壁用台座とともに床に載置させ、この載置後に間仕切壁用台座を、側面のドライバー挿入口からドライバーを挿入させて下面のネジ貫通孔にて固定ネジを床面にねじ込むことで、床にネジ固定させることを特徴とする間仕切壁施工方法を提供する。
【００３２】
第２５には、前記間仕切壁用台座を用いた間仕切壁施工方法であって、間仕切壁用台座を、下面のドライバー挿入口からドライバーを挿入させて上面のネジ貫通孔にて固定ネジを組立済みの間仕切壁の下部芯材にねじ込むことで、間仕切壁にネジ固定させ、この固定後に間仕切壁を、間仕切壁用台座とともに床に載置させ、この載置後に間仕切壁用台座を、側面のドライバー挿入口からドライバーを挿入させて下面のネジ貫通孔にて固定ネジを床面にねじ込むことで、床にネジ固定させることを特徴とする間仕切壁施工方法を提供する。
【００３３】
第２６には、前記間仕切壁用台座を用いた間仕切壁施工方法であって、間仕切壁用台座を、下面のドライバー挿入口からドライバーを挿入させて上面のネジ貫通孔にて固定ネジを間仕切壁を構成する下部芯材にねじ込むことで、下部芯材にネジ固定させ、この固定後に下部芯材を、間仕切壁用台座とともに床に載置させ、この載置後に間仕切壁用台座を、側面のドライバー挿入口からドライバーを挿入させて下面のネジ貫通孔にて固定ネジを床面にねじ込むことで、床にネジ固定させ、そして、下部芯材の上に他の芯材を組み上げ、板材を貼り付けて間仕切壁を組み立てることを特徴とする間仕切壁施工方法を提供する。
【００３４】
第２７には、前記間仕切壁用台座を用いた間仕切壁施工方法であって、間仕切壁用台座を、下面のドライバー挿入口からドライバーを挿入させて上面のネジ貫通孔にて固定ネジを間仕切壁を構成する下部芯材にねじ込むことで、下部芯材にネジ固定させ、この固定後に下部芯材を、間仕切壁用台座とともに床に載置させ、この載置後に間仕切壁用台座を、側面のドライバー挿入口からドライバーを挿入させて下面のネジ貫通孔にて固定ネジを床面にねじ込むことで、床にネジ固定させ、そして、下部芯材の上に軽鉄ランナーを固定し、軽鉄ランナーの上に軽鉄スタッドを組み上げ、板材を貼り付けて間仕切壁を組み立てることを特徴とする間仕切壁施工方法を提供する。
【発明の効果】
【００３５】
上記第１の間仕切壁の立設構造によれば、上記のとおりに断面略ロ字型の台座に対してその四方面にドライバー挿入口およびネジ貫通穴を設けることで、台座を床だけでなく間仕切壁にも固定でき、よって間仕切壁を床上にて安定性高く立設支持できるようになる。特に二重床に立設した場合において仮に重荷重による沈み込みが発生したとしても、間仕切壁と台座と床とが強固に固定されているので、間仕切壁がぐらつくこともなく、常に安定した立設支持を実現できる。
【００３６】
上記第２の間仕切壁の立設構造によれば、上記第１の立設構造と同様な効果が得られ、また、上記のとおりの突起を台座に設けておき、当該台座を間仕切壁に固定させる際に突起を食い込ませることで、台座と間仕切壁との固定を一層強固にし、安定性をさらに向上させることができる。
【００３７】
上記第３の間仕切壁の立設構造によれば、上記第１の立設構造と同様な効果が得られ、また、上記のとおりのガイド突起を台座に設けておき、当該台座を間仕切壁に固定させる際にガイド突起に従って位置決めさせることで、より容易な固定施工が可能となり、また台座と間仕切壁との横ずれ、回転、ガタツキなどをより効果的に防止して、さらなる安定性向上に貢献できる。
【００３８】
上記第４の間仕切壁の立設構造によれば、上記第１の立設構造と同様な効果が得られ、また、上記のとおりの台座下面の傾斜部に床との固定のためのネジ貫通孔を設けておくことで、台座側面から台座下面に向けてドライバーを挿入させてのネジ固定作業がより容易に行えるようになる。
【００３９】
上記第５の間仕切壁の立設構造によれば、上記第４の立設構造と同様な効果が得られ、また、上記のとおりの台座下面の盛上り部に傾斜部を設けておくことで、この傾斜部にネジ貫通孔が設けられることとなるため、台座側面からのネジ斜め打ちをより確実に行うことができ、よってより確実で且つ角度均一なネジ固定を実現できるようになる。
【００４０】
上記第６の間仕切壁の立設構造によれば、上記第５の立設構造と同様な効果が得られ、また、上記のとおりのランナーに対して台座を固定させることで、台座とランナーとの位置決めが容易となり、ランナー形状との嵌合性も向上され、間仕切壁の通り施工も容易に行え、且つ施工後の台座の横ずれも抑制できるようになる。
【００４１】
上記第７の間仕切壁の立設構造によれば、上記第６の立設構造と同様な効果が得られ、また、上記のとおりの傾斜突出部をランナーに設けておくことで、台座側面とランナー傾斜突出部との接触がなくなり、台座のランナー上への載置作業をより容易に行えるだけでなく、きしみ音などの異音の発生もより効果的に抑えることができる。
【００４２】
上記第８の間仕切壁の立設構造によれば、上記第１〜第７の立設構造と同様な効果が得られ、また、いわゆるＬ型ランナーに対しても台座を介して間仕切壁の良好な立設を実現できる。
【００４３】
上記第９の間仕切壁の立設構造によれば、上記第１〜第８の立設構造と同様な効果が得られ、また、断面略ロ字型台座の内部空間を配線スペースとして利用することで、台座を通線金具としても利用でき、よって間仕切壁下方に配線スペースを確保できるようになる。
【００４４】
上記第１０の間仕切壁の立設構造によれば、上記第９の立設構造と同様な効果が得られ、また、台座側面のドライバー挿入口を通線口としてさらに利用することで、台座の通線金具としての機能をより高めることができ、配線をドライバー挿入口から外部へ、またはドライバー挿入口から内部へ通して、配線の直角方向変更を実現できるようになる。これにより間仕切壁下部での配線の引き回しをより自由度高く且つ容易に行うことができる。
【００４５】
上記第１１の間仕切壁の立設構造によれば、上記第９の立設構造と同様な効果が得られ、また、上記のとおりの間隙をも通線口として利用することで、台座の通線金具としての機能をさらに一層高めることができ、配線を間隙から外部へ、または外部から内部へ通して、台座上方向への引き回しをより自由度高く且つ容易に行えるようになる。
【００４６】
上記第１２〜第２０の間仕切壁用台座によれば、上記第１〜第６および第９〜第１１の立設構造と同様な効果が得られる台座が実現される。
【００４７】
上記第２１の間仕切壁用台座によれば、上記第１８の台座と同様な効果が得られ、また、上記のとおりに端部（端部開口）のエッジを面取りしておくことで、台座の内部配線スペースを通る配線のエッジ接触による損傷を防ぐことができる。
【００４８】
上記第２２の間仕切壁用台座によれば、上記第１８の台座と同様な効果が得られ、また、上記のとおりに折り返し片を端部（端部開口）に設けておくことで、配線の損傷をより効果的に防ぐことができる。
【００４９】
上記第２３の間仕切壁用台座によれば、上記第１８の台座と同様な効果が得られ、また、上記のとおりにパッキンを端部（端部開口）に設けておくことで、配線の損傷をさらに一層効果的に防ぐことができる。
【００５０】
上記第２４の間仕切壁施工方法によれば、上記第１２〜第２３の間仕切壁用台座と同様な効果が得られ、パネルタイプの間仕切壁や従来工法の間仕切壁、軽鉄ランナー・スタッドを用いたタイプの間仕切壁など、様々な間仕切壁の極めて良好な施工を実現することができる。
【００５１】
上記第２５の間仕切壁施工方法によれば、上記第１２〜第２３の間仕切壁用台座と同様な効果が得られ、パネルタイプの間仕切壁の極めて良好な施工を実現することができる。
【００５２】
上記第２６の間仕切壁施工方法によれば、上記第１２〜第２３の間仕切壁用台座を用いることで、従来工法の間仕切壁の極めて良好な施工を実現することができる。
【００５３】
上記第２７の間仕切壁施工方法によれば、上記第１２〜第２３の間仕切壁用台座を用いることで、軽鉄ランナー・スタッドを用いたタイプの間仕切壁の極めて良好な施工を実現することができる。
【発明を実施するための最良の形態】
【００５４】
［第１の実施形態］
図１〜図３はこの出願の発明の一実施形態を示したものである。
【００５５】
本実施形態では、まず、間仕切壁（１）を床（２）に立設するための台座（３）は、一体構成の断面略ロ字型のものであり、より具体的には図３に示したような一枚成形の金属板を適宜位置にて折り曲げて断面略ロ字型の中空パイプ状体（筒状体とも言える）に形成したものとなっている。一枚板からの折り曲げ成形のため、加工が簡便であり、部材取りを行い易い。
【００５６】
この台座（３）の下面（３１）および上面（３２）には、間仕切壁（１）との固定用のドライバー挿入口（３１１）およびネジ貫通孔（３２１）が二つずつ配設されている。より具体的には、上面（３２）の略中央には、上述のとおりに折り曲げ成形した際に一枚板の端部同士が対向して残った溝状の間隙（３２２）があり、それを挟んで互い違いの位置に二つのネジ貫通孔（３２１）が配設され、それぞれに対応した上下同一線上の位置にてドライバー挿入口（３１１）が配設されている。
【００５７】
また、台座（３）の側面（３３）および下面（３１）には、床（２）との固定用のドライバー挿入口（３３１）およびネジ貫通孔（３１２）が配設されている。より具体的には、ドライバー挿入口（３３１）は、左右両側の側面（３３）に設けられており、台座（３）の強度を確保できる程度の大きさで、且つドライバーを挿入して固定ネジ（５）をねじ込む作業に必要な程度の大きさを少なくとも有する開口となっている。もちろんねじ込み作業が可能であれば一方の側面（３３）のみに設けてもよい（後述の図６参照）。またネジ貫通孔（３１２）は、上述したドライバー挿入口（３１１）と兼用のものとなっている。もちろんドライバー挿入口（３１１）とは別に設けてもよい（後述の図６参照）。
【００５８】
このような台座（３）を用いる場合、まず、台座（３）を間仕切壁（１）の下端面にあてがい、下面（３１）のドライバー挿入口（３１１）からドライバーを台座（３）内へ挿入して、上面（３２）のネジ貫通孔（３２１）にて固定ネジ（４）を間仕切壁（１）の下端面にねじ込むことで、台座（３）と間仕切壁（１）とをネジ固定する。続いて、固定した台座（３）とともに間仕切壁（１）を床（２）に載置する。そして、載置状態のまま、側面（３３）のドライバー挿入口（３３１）からドライバーを挿入し、下面（３１）のネジ貫通孔（３１２）にて固定ネジ（５）を床面（２１）にねじ込むことで、台座（３）と床（２）とをネジ固定する。
【００５９】
なお、本実施形態では、間仕切壁（１）は芯材（１１）とそれを挟持する一対の板材（１２）（面材やパネル材とも呼べる）とで構成されており、台座（３）とのネジ固定は、実際には、固定ネジ（４）がネジ貫通孔（３２１）を通って間仕切壁（１）の下端面を形成する芯材（１１）へねじ込まれることで行われる。
【００６０】
また、床（２）にはランナー（６）が敷設されており、台座（３）とのネジ固定は、実際には、固定ネジ（５）がネジ貫通孔（３１２）を通ってランナー（６）へねじ込まれることで行われる。もちろん、ランナー（６）無しでも直接床（２）にネジ固定できることは言うまでもない。
【００６１】
以上によれば、台座（３）を床（２）だけでなく間仕切壁（１）にも固定しているので、高い安定性を持つ間仕切壁（１）の立設支持を実現することができるのである。特に床（２）が二重床構造のものである場合には、重荷重による沈み込みが発生しても、間仕切壁（１）と台座（３）と床（２）とがしっかりと固定されているので、間仕切壁（１）がぐらつくこともなく、常に安定した立設支持を可能ならしめている。
【００６２】
また、台座（３）を立設前の間仕切壁（１）へ床（２）より先に固定できるため、固定ネジ（４）を間仕切壁（１）の下方からその垂直荷重と同方向に打ち込むことができ、より堅固な間仕切壁（１）との固定を実現できる。仮に、間仕切壁（１）より先に床（２）へネジ固定するとした場合では、間仕切壁（１）とのネジ固定は、当然床（２）に固定されている台座（３）は持ち上げられないので、立設状態のままの間仕切壁（１）の側方から固定ネジ（４）を打ち込んで行うこととなり、この固定ネジ（４）に対しては、間仕切壁（１）に垂直引っ張り荷重が発生すると横方向の荷重がかかってしまう。これでは、間仕切壁（１）の割れや固定ネジ（４）の緩みが懸念され、床（２）や間仕切壁（１）への繰り返し荷重などが発生したときのきしみ音も心配される。しかしながら、上述のように垂直荷重と同方向へのネジ打ち込みが可能となるこの出願の発明では、これらの不都合は全く発生しない。
【００６３】
床（２）への固定についても、当然間仕切壁（１）があるため固定ネジ（５）の垂直打ちはできないが、側面（３３）からの斜め打ちが可能となっているため、容易に且つ確実にネジ固定することができる。
【００６４】
したがって、台座（３）の間仕切壁（１）へのネジ垂直打ち、床（２）へのネジ斜め打ちにより、極めて良好な間仕切壁（１）の立設支持を実現できるのである。
【００６５】
なお、本実施形態では、台座（３）は、上述のように一枚金属板を折り曲げ加工して形成したものであるため、間仕切壁（１）施工時の衝撃荷重、ひねり、圧縮などの力に耐え、施工後の静圧荷重、引っ張り荷重にも十分耐え得る構造体であり、簡単な製造で高い強度の台座（３）を実現している。もちろん、断面略ロ字型の筒状とすることによっても、より高い強度確保が実現される。
【００６６】
また、断面略ロ字型となっている台座（３）の内部空間は、電源線や各種配線ケーブル等の配線（７）が通る配線スペースとしても利用できる。これにより、台座（３）は、通線金具としての役割をも果たすこととなり、台座兼通線金具として、上記のとおりに間仕切壁（１）を立設支持するとともに、その間仕切壁（１）の下部に別途部材や特殊構造を設けることなく配線スペースを確保できるようになる。
【００６７】
このとき、たとえば、台座（３）の下面（３１）および上面（３２）のネジ貫通孔（３１２）（３２１）に対してリーマ加工もしくはバーリング加工を施しておくことで、固定ネジ（４）（５）の頭が内部空間に突出しなくなるため、配線（７）を傷めることなく速やかに配線作業を行えるようになる。また、台座（３）の端部開口のエッジつまり始端・終端に位置する開口部のエッジを面取り加工して、開口部を通る配線（７）の損傷を防止する対策を施しておくことも好ましい。
【００６８】
一方、台座（３）の側面（３３）のドライバー挿入口（３３１）は、配線（７）を横方向外部から内部配線スペースへ、内部配線スペースから横方向外部へ通す通線口としても兼用できる。また、台座（３）の上面（３２）に残った間隙（３２２）は、配線（７）を上方向外部から内部配線スペースへ、内部配線スペースから上方向外部へ通す通線口として利用することもできる。間隙（３２２）については、台座（３）成形時に配線（７）を通せる程度の溝幅を残したり、断続的に太幅の部分を形成したりすることを考慮できる。これらにより、たとえば、間仕切壁（１）の横方向に直交配置された他の間仕切壁（１）との通線や、台座（３）上の間仕切壁（１）内への引き込みなどをスムーズに行えるようになる。もちろん、上記開口部と同様に、ドライバー挿入口（３３１）や間隙（３２２）のエッジを面取りしておくことが好ましい。
【００６９】
［第２の実施形態］
図４および図５はこの出願の発明の別の一実施形態を示したものである。
【００７０】
本実施形態では、台座（３）の上面（３２）に突起（３２３）がさらに設けられ、上述したように台座（３）を間仕切壁（１）にネジ固定させる際に、突起（３２３）を間仕切壁（１）の下端面に食い込ませるようになっている。
【００７１】
より具体的には、台座（３）の上面（３２）には上述のとおりに間隙（３２２）があり、その間隙（３２２）における互い違いの二つの端部が上方に折り曲げられて二つの突起（３２３）が形成されている。そして、台座（３）の上面（３２）が間仕切壁（１）の下端面（図１では間仕切壁（１）を構成する芯材（１１）の下端面）に当接する際に、その下端面に突起（３２３）が食い込むことになる。
【００７２】
これによれば、固定ネジ（４）によるネジ固定のみの場合よりも、上面（３２）がより確実に間仕切壁（１）と噛み合って一体化し、安定性をさらに向上させることができる。また、間隙（３２２）が残った台座（３）の上面（３２）を間仕切壁（１）との接合固定部として使用しても、台座（３）の広がりを防止できるという効果がある。
【００７３】
なおもちろん、間隙（３２２）部分は溶接により固定させてもよく、これによればより一層堅固な台座（３）を実現し、突起（３２３）による食込み固定と相まってさらに一層高い安定性をもった間仕切壁（１）の立設支持を実現できる。
【００７４】
［第３の実施形態］
図６および図７はこの出願の発明の別の一実施形態を示したものである。
【００７５】
本実施形態では、台座（３）の上面（３２）に、間仕切壁（１）との固定時にその下端面との位置決めになるガイド突起（３２４）がさらに設けられている。
【００７６】
より具体的には、台座（３）の上面（３２）の左右端それぞれに二つずつ、ガイド突起（３２４）が上面（３２）の一部を外方に折り起こして形成されている。そして、台座（３）の上面（３２）が間仕切壁（１）の下端面（図７では間仕切壁（１）を構成する芯材（１１）の下端面）に当接する際に、その下端面が左右両側のガイド突起（３２４）間に嵌まって位置決めされることになる。
【００７７】
これによれば、台座（３）と間仕切壁（１）との位置決めを、上面（３２）と下端面とをあてがうだけで容易に行うことができる。また、ガイド突起（３２４）は間仕切壁（１）の下端部を挟持した構造となるので、固定ネジ（４）によるネジ固定および突起（３２３）による食込み固定の補助構造としても機能して、台座（３）と間仕切壁（１）の横ずれ、回転、ガタツキをより効果的に防止することができ、安定性向上に貢献する。
【００７８】
また、図６に示した台座（３）には、その長手方向の開口部にて外方に折られた折返し片（３４）が設けられており、内部空間を配線（７）（図７参照）が通る際に配線（７）が引っ掛かりにくくなっている。
【００７９】
またさらに、図６に示した台座（３）には、その開口部下部付近にパッキン（３５）が設けられており、台座（３）と床面（２１）またはランナー（６）とのこすれによるこすれ音やきしみ音の発生を抑制し、且つ、開口部のエッジとの接触による配線（７）の損傷の発生を抑制している。
【００８０】
第１の実施形態にて説明したように台座（３）の端部開口エッジを面取り加工することも考慮できるが、折返し片（３４）やパッキン（３５）を設ける方が配線（７）の損傷をより効果的に防ぐことができる。
【００８１】
なお、図６に示した台座（３）では、上記第１の実施形態とは異なり、下面（３１）のドライバー挿入口（３１１）とネジ貫通孔（３１２）が別々に設けられており、ドライバー挿入口（３１１）は下面（３１）の開口部付近にて十分な面積の四角開口となっており、ネジ貫通孔（３１２）はそれより内方に位置した丸穴となっている。また、側面（３３）のドライバー挿入口（３３１）も一方の側面（３３）のみに設けられており、その側からネジ貫通孔（３１２）でのネジ固定作業が行われる。
【００８２】
［第４，第５の実施形態］
図８および図９は各々この出願の発明のさらに別の一実施形態を示したものである。
【００８３】
図８の実施形態では、上述のガイド突起（３２４）が、間仕切壁（１）が芯材（１１）と板材（１２）とから構成されて芯材（１１）に台座（３）が固定される場合に、芯材（１１）の下部側面に設けた嵌入溝（１１１）に嵌入されて芯材（１１）の側面と面一となるようになっている。
【００８４】
図９の実施形態では、ガイド突起（３２４）が、芯材（１１）の内方に偏倚させて設けられ、芯材（１１）の内方に設けた嵌入溝（１１１）に嵌入されて外側には露出しないようになっている。
【００８５】
これらの実施形態によれば、台座（３）を隠す仕上げ材や幅木などの板材（８）を間仕切壁（１）の板材（１２）表面と面一に取り付けることができ、意匠性を高めることができる。またもちろん、芯材（１１）の嵌入溝（１１１）と台座（３）のガイド突起（３２４）との嵌まり合い効果によって、間仕切壁（１）の立設支持の安定性をより高めることができる。
【００８６】
［第６の実施形態］
図１０〜図１３はこの出願の発明のまた別の一実施形態を示したものである。
【００８７】
本実施形態では、上述した床（２）とのネジ固定用のネジ貫通孔（３１２）が、台座（３）の下面（３１）にて台座（３）の側面（３３）方向を向くように形成された傾斜部（３１３）に設けられている。
【００８８】
より具体的には、台座（３）の下面（３１）には、その略中央部分が盛り上がった断面略台形状の盛上り部（３１４）が設けられており、この盛上り部（３１４）の左右側面が台座（３）の左右側面（３３）方向を向いた一対の傾斜部（３１３）となって、この各傾斜部（３１３）の適宜位置に二つずつネジ貫通孔（３１２）が配設されている。そして、台座（３）の左右側面（３３）から、それに設けられているドライバー挿入口（３３１）を通してドライバーを台座（３）内へ挿入させ、各傾斜部（３１３）のネジ貫通孔（３１２）にて固定ネジ（５）をランナー（６）へねじ込むようになっている。
【００８９】
これによれば、傾斜部（３１３）に設けられたネジ貫通孔（３１２）は側面（３３）方向を向くことになるので、ネジ固定作業が容易となる。また、盛上り部（３１４）の両側面が傾斜部（３１３）となってそれにネジ貫通孔（３１２）が設けられているので、台座（３）の両側からネジ止めができ、しかもネジ斜め打ちをより確実に行えて、より確実な固定が実現されることとなり、またねじ込み角度もほぼ一定になって施工精度の均一化を図ることができる。
【００９０】
なお、図１０および図１１に示した台座（３）における側面（３３）のドライバー挿入口（３３１）は、図２〜図６の場合とは異なり、各ネジ貫通孔（３１２）ごとに対応して複数配設されている。また、図１２に示した台座（３）では、ネジ貫通孔（３１２）が左右の傾斜部（３１３）にて互い違いとなる位置に一つずつ設けられており、ドライバー挿入口（３３１）は左右の側面（３３）にてそれらに対応した中央より若干横方向に偏倚した位置にて一つずつ設けられている。これらの場合でも、各ドライバー挿入口（３３１）は固定ネジ（５）のねじ込み作業に必要な大きさを少なくとも有している。
【００９１】
また、台座（３）における下面（３１）のドライバー挿入口（３１１）は、ネジ貫通孔（３１２）とは別に、盛上り部（３１４）の中央平面に配設されている。
【００９２】
この場合、ドライバー挿入口（３１１）を通したドライバーによりネジ締めが行われるネジ貫通孔（３２１）については、台座（３）上面（３２）の中心直線上に位置するように設けることが好ましい。中心に配置しなければ、ドライバー挿入口（３１１）を盛上り部（３１４）の傾斜部（３１３）に穴加工して配設しなければならない可能性があるためである。
【００９３】
この中心配置を可能ならしめるべく、たとえば、折り曲げ後に対向する一枚板の端部を適宜形状に切断等加工して、ネジ貫通孔（３２１）を配置する部分の間隙（３２２）を中心から偏倚させる。これにより、間隙（３２２）の偏倚部分の横に設けられたネジ貫通孔（３２１）は、ほぼ中心線上に位置することとなる。図１０および図１２では間隙（３２２）が全体に緩やかなジグザグ状となっており、図２、図３および図６の場合と比較すると曲がりが若干大きくなっていることがわかる。
【００９４】
またさらに、本実施形態では、床（２）に設けられたランナー（６）が、その上面の略中央位置にて上方に突出した中央突出部（６１）を有するものとなっており、台座（３）を床（２）にネジ固定させる際、このランナー（６）の中央突出部（６１）を台座（３）下面（３１）の上記盛上り部（３１４）の下側空間、つまり下面（３１）が盛り上がってできた盛上り部（３１４）の下側に形成されている空間、に嵌め込まれるようになっている。
【００９５】
これによれば、台座（３）とランナー（６）との位置決めが容易となり、ランナー（６）形状との嵌合性も向上され、隣接する間仕切壁（１）の通り施工も容易に行うことができる。また施工後に台座（３）が横ずれする恐れも少なく、台座（３）の側面（３３）とランナー（６）との接触、より具体的にはランナー（６）の左右側端にて上方に突出して設けられている一対の左右突出部（６２）との接触、が抑制されて、垂直荷重がかかったときに発生する恐れのある側面（３３）と左右突出部（６２）同士のきしみ音を防止することができる。
【００９６】
なお、盛上り部（３１４）の存在により台座（３）自体の強度もより一層向上されることは言うまでもない。
【００９７】
［第７の実施形態］
図１４〜図１６はこの出願の発明のまたさらに別の一実施形態を示したものである。
【００９８】
前述の図１および図７〜図９に示した実施形態では、台座（３）を床（２）に設けたランナー（６）上に載置する際に、台座（３）の側面（３３）とランナー（６）の左右突出部（６２）とが接触しているのがわかる。しかし、これでは台座（３）とランナー（６）との接触による異音が発生する恐れがある。
【００９９】
そこで、本実施形態のように、ランナー（６）の左右両側に、ランナー（６）上に載った台座（３）の側面（３３）から離れる方向に傾斜した傾斜突出部（６３）を設けることで、異音の発生を防止することができる。
【０１００】
より具体的には、図１４〜図１６では、左右突出部（６２）（図１など参照）自体が、それぞれの内側面（つまり中央突出部（６１）の方を向いた面）が先端に向かうほど外方に傾斜した傾斜面となって、傾斜突出部（６３）を構成している。
【０１０１】
これによれば、台座（３）がその下面（３１）の盛上り部（３１４）の下側空間にランナー（６）の中央突出部（６１）が嵌まるようにしてランナー（６）上に載置される際に、台座（３）の側面（３３）が傾斜突出部（６３）の傾斜面には触れることがないため、載置作業を容易に行うことができ、且つ異音の発生も効果的に抑制することができる。
【０１０２】
なお、図１４〜図１６では、傾斜突出部（６３）の外側面（つまり上記傾斜面とは反対側の面）が間仕切壁（１）の板材（１２）の表面と面一となるように形成されているので、つまりランナー（６）幅が間仕切壁（１）幅と同一であり互いの面が一致しているので、図１６に示したように、幅木等の板材（８）を取り付ける際に外側面が当てとなって施工がし易くなっている。板材（８）は、板材（１２）および傾斜突出部（６３）に当接してネジ固定されている。
【０１０３】
［第８の実施形態］
ここで、上述した台座（３）の特徴についてさらに説明する。
【０１０４】
＜断面略ロ字型筒状体＞
・間仕切壁（１）の固定のための強度を確保できる。
【０１０５】
・台座（３）内の配線スペースを確保できる。
【０１０６】
・端部開口に対してエッジ面取り加工や、折返し片（３４）・パッキン（３５）の付加などの対策を施すことで、配線（７）の損傷を防止できる。
【０１０７】
＜上面（３２）の間隙（３２２）＞
・上面（３２）のネジ貫通孔（３２１）が中心直線上に位置するように、間隙（３２２）を設ける。これにより、下面（３１）に設けられた盛上り部（３１４）の傾斜部（３１３）にドライバー挿入口（３１１）を設ける必要がなくなる。
【０１０８】
・一枚板の折り曲げ成形のために発生するものであり、一枚板からの加工のため、加工が簡便であり、部材取りを行い易い。
【０１０９】
・間隙（３２２）から配線（７）を上方へ通線させることが可能である。
【０１１０】
＜下面（３１）の盛上り部（３１４）＞
・台座（３）の強度をより向上させることができる。
【０１１１】
・中央突出部（６１）を有するランナー（６）形状との嵌合性を高めることができ、また異音の発生を防止できる。
【０１１２】
・盛上り部（３１４）の傾斜部（３１３）にネジ貫通孔（３１２）が設けられるため、固定ネジ（５）の斜め打ちがより確実にできる。また、このネジ斜め打ちにより、たとえば図１７に例示したようにランナー（６）が断面略Ｌ字型となっている場合においても、ネジ固定強度を堅固にすることができる。なお、図１７のランナー（６）は、中央突出部（６１）がなく、片側にのみ突出部（６４）を有して断面略Ｌ字型となっており、たとえば突出部（６４）の内側面に台座（３）の側面が当接して位置決めされる。また突出部（６４）の外側面は間仕切壁（１）の板材（１２）の表面と面一となっており、幅木等の板材（８）はそれらに当接される。このような断面略Ｌ字型ランナーを用いた場合には、間仕切壁（１）の通り出し施工が簡便であると言える。
【０１１３】
＜間仕切壁（１）との固定用の上面（３２）のネジ貫通孔（３２１）、下面（３１）のドライバー挿入口（３１１）＞
・上面（３２）におけるネジ貫通孔（３２１）の存在により、間仕切壁（１）へ垂直にネジ固定できる。これにより、強度の確保ができ、信頼性も高い。
【０１１４】
・下面（３１）におけるドライバー挿入口（３１１）の存在により、固定ネジ（４）の垂直固定の確実性および作業性を確保できる。
【０１１５】
＜床（２）との固定用の下面（３１）のネジ貫通孔（３１２）＞
・下面（３１）におけるネジ貫通孔（３１２）の存在により、台座（３）の床（２）との固定、ランナー（６）との固定を行うことができる。
【０１１６】
・下面（３１）の傾斜部（３１３）に設けられることで、台座（３）の固定、特にランナー（６）との固定をさらに確実ならしめることができる。
【０１１７】
＜床（２）との固定用の側面（３３）のドライバー挿入口（３３１）＞
・側面（３３）におけるドライバー挿入口（３３１）の存在により、下面（３１）のネジ貫通孔（３１２）を通した床（２）へのネジ斜め打ちを行うことができ、特に傾斜部（３１３）に設けられたネジ貫通孔（３１２）に対して垂直にドライバーを当てて、ネジ斜め打ちをより確実に行える。
【０１１８】
・ドライバー挿入口（３３１）を配線（７）の通線口として兼用でき、たとえば配線（７）を直角に方向変更できる。
【０１１９】
・たとえば図１８に例示したように、側面（３３）にドライバー挿入口（３３１）のない台座（３）も考えられるが、ネジ斜め打ちの確実性や横方向への通線口の確保の観点から、ドライバー挿入口（３３１）を設けた方が好ましいと言える。
【０１２０】
もちろん、この出願の発明は以上の実施形態に限定されるものではなく、細部については様々な態様が可能である。
【０１２１】
［第９の実施形態］
ところで、図１、図７、図８、図９、図１３、図１５、図１６および図１８では、間仕切壁（１）が芯材（１１）とそれを挟持する板材（１２）とで構成されているが、たとえば図１９に例示したように、芯材（１１）および板材（１２）とともに、軽鉄ランナー（１３）および軽鉄スタッド（１４）をも用いた間仕切壁（１）にも、この出願の発明は適用できることは言うまでもない。この間仕切壁（１）では、台座（３）を介して床（２）（またはランナー（６））上に固定された芯材（１１）の上に軽鉄ランナー（１３）を載置して固定し、軽鉄スタッド（１４）を軽鉄ランナー（１３）上にて組み上げ、セッコウボード等の板材（１２）を両側から貼り付ける。
【０１２２】
［第１０の実施形態］
ここで、上述したとおりの間仕切壁（１）の立設施工手順についてさらに詳細に説明する。
【０１２３】
＜壁パネル＞
図２０〜図２２は、各々、間仕切壁（１）がパネル体である場合の立設施工手順について説明するための図である。
【０１２４】
まず、図２０に例示したように、芯材（１１）と板材（１２）とが予め一体化されてなるパネル状の間仕切壁（１）を横に寝かせた状態で、下部横芯材（１１ａ）の下面に台座（３）をネジ固定する。ここでは二つの台座（３）を用いており、それぞれ適宜間隔で配置させて、固定ネジ（４）を下面（３１）のドライバー挿入口（３１１）から上面（３２）のネジ貫通孔（３２１）を通して下部横芯材（１１ａ）下面にねじ込む。このとき、固定ネジ（４）は、ドライバー挿入口（３１１）から挿入したドライバーによって垂直打ちされる。
【０１２５】
続いて、図２１に例示したように、台座（３）を固定した間仕切壁（１）を立たせて、床（２）に敷設されているランナー（６）上に据え付けて、ネジ固定する。ここではＬ形のランナー（６）を用いており、その突出部（６４）に台座（３）が沿うように間仕切壁（１）を据え付けた後、固定ネジ（５）を側面（３３）のドライバー挿入口（３３１）から下面（３１）のネジ貫通孔（３１２）を通してランナー（６）上面から床（２）（床下地材など）へとねじ込む。このとき、固定ネジ（５）は、ドライバー挿入口（３３１）から挿入したドライバーによって斜め打ちされる。ランナー（６）は予め床（２）（床下地材など）にネジ固定されている。
【０１２６】
そして、図２２に例示したように、幅木等の板材（８）を、ランナー（６）および台座（３）とともに間仕切壁（１）下部を隠すようにして、取り付ける。
【０１２７】
以上により、床（２）と天井面（９）との間におけるランナー（６）および台座（３）を介した間仕切壁（１）の立設が完了する。
【０１２８】
なお、間仕切壁（１）の下部横芯材（１１ａ）には、適宜位置に、配線（７）を台座（３）上面（３２）のネジ貫通孔（３２１）を通して台座（３）内および間仕切壁（１）内の間で引き回すための通線孔（１１２）が設けられている。次述する他のタイプの間仕切壁（１）においても同様な通線孔（１１２）が設けられている。
【０１２９】
＜従来工法の間仕切壁＞
図２３〜図２６は、各々、間仕切壁（１）が従来工法のもの、つまり横桟となる下部横芯材（１１ａ）および上部横芯材（１１ｂ）と縦桟となる縦芯材（１１ｃ）とを順に組み合わせ、最後にセッコウボード等の板材（１２）を貼り付けて組み立てるものである場合の立設施工手順について説明するための図である。
【０１３０】
まず、図２３に例示したように、下部横芯材（１１ａ）の下面に台座（３）をネジ固定する。ここでは二つの台座（３）を用いており、それぞれ適宜間隔で配置させて、固定ネジ（４）を下面（３１）のドライバー挿入口（３１１）から上面（３２）のネジ貫通孔（３２１）を通して下部横芯材（１１ａ）下面にねじ込む。このとき、固定ネジ（４）は、ドライバー挿入口（３１１）から挿入したドライバーによって垂直打ちされる。
【０１３１】
続いて、図２４に例示したように、台座（３）を固定した下部横芯材（１１ａ）を床（２）に敷設されているランナー（６）上に据え付けて、ネジ固定する。ここではＬ形のランナー（６）を用いており、その突出部（６４）に台座（３）が沿うように下部横芯材（１１ａ）を据え付けた後、固定ネジ（５）を側面（３３）のドライバー挿入口（３３１）から下面（３１）のネジ貫通孔（３１２）を通してランナー（６）上面から床（１）へとねじ込む。このとき、固定ネジ（５）は、ドライバー挿入口（３３１）から挿入したドライバーによって斜め打ちされる。ランナー（６）は予め床（２）（床下地材など）にネジ固定されている。
【０１３２】
そして、図２５および図２６に例示したように、固定された下部横芯材（１１ａ）上に縦芯材（１１ｃ）および上部横芯材（１１ｂ）を組み上げ、板材（１２）を貼り付けて間仕切壁（１）を組み立てる。後は、幅木等の板材（８）を、ランナー（６）および台座（３）とともに間仕切壁（１）下部を隠すようにして、取り付ければよい。
【０１３３】
以上により、床（２）と天井面（９）との間におけるランナー（６）および台座（３）を介した間仕切壁（１）の立設が完了する。
【０１３４】
＜軟鉄スタッド・ランナー使用の間仕切壁＞
図２７〜図３０は、各々、間仕切壁（１）が軽鉄ランナー（１３）、縦軽鉄スタッド（１４ｂ）および上部横軽鉄スタッド（１４ａ）を使用したものである場合の立設施工手順について説明するための図である。
【０１３５】
まず、図２７に例示したように、下部横芯材（１１ａ）の下面に台座（３）をネジ固定する。ここでは二つの台座（３）を用いており、それぞれ適宜間隔で配置させて、固定ネジ（４）を下面（３１）のドライバー挿入口（３１１）から上面（３２）のネジ貫通孔（３２１）を通して下部横芯材（１１ａ）下面にねじ込む。このとき、固定ネジ（４）は、ドライバー挿入口（３１１）から挿入したドライバーによって垂直打ちされる。
【０１３６】
続いて、図２８に例示したように、台座（３）を固定した下部横芯材（１１ａ）を床（２）に敷設されているランナー（６）上に据え付けて、ネジ固定する。ここではＬ形のランナー（６）を用いており、その突出部（６４）に台座（３）が沿うように下部横芯材（１１ａ）を据え付けた後、固定ネジ（５）を側面（３３）のドライバー挿入口（３３１）から下面（３１）のネジ貫通孔（３１２）を通してランナー（６）上面から床（２）へとねじ込む。このとき、固定ネジ（５）は、ドライバー挿入口（３３１）から挿入したドライバーによって斜め打ちされる。ランナー（６）は予め床（２）（床下地材など）にネジ固定されている。
【０１３７】
そして、図２９および図３０に例示したように、固定された下部横芯材（１１ａ）上に軽鉄ランナー（１３）を固定し、その軽鉄ランナー（１３）上に縦軽鉄スタッド（１４ｂ）および上部横軽鉄スタッド（１４ａ）を組み上げ、セッコウボード等の板材（１２）を貼り付けて間仕切壁（１）を組み立てる。後は、幅木等の板材（８）を、ランナー（６）および台座（３）とともに間仕切壁（１）下部を隠すようにして、取り付ければよい。
【０１３８】
以上により、床（２）と天井面（９）との間におけるランナー（６）および台座（３）を介した間仕切壁（１）の立設が完了する。
【０１３９】
［第１１の実施形態］
上述した図１〜図３０では、台座（３）が間仕切壁（１）下にて適宜間隔で配設される短尺のものであるが、たとえば図３１に例示したように長尺のものであってもよい。
【０１４０】
この場合さらに説明すると、台座（３）は、断面略ロ字型の長尺筒体となっており、間仕切壁（１）との固定のためのドライバー挿入口（３１１）およびネジ貫通孔（３２１）が下面（３１）および上面（３２）に配設され、床（２）（ランナー（６））との固定のためのドライバー挿入口（３３１）およびネジ貫通孔（３１２）が側面（３３）および下面（３１）に配設されている。下面（３１）のドライバー挿入口（３１１）およびネジ貫通孔（３１２）、上面（３２）のネジ貫通孔（３２１）は、前記図１０の場合と同様な数および位置となっているが、側面（３３）のドライバー挿入口（３３１）は、側面（３３）全長に渡って適宜間隔で多数配設されている。
【０１４１】
また、この長尺台座（３）も、短尺台座（３）と同様に、一枚板からの折り曲げ成形により成るもので、上面（３２）に間隙（３２２）が形成されている。ただし、この間隙（３２２）は、ジグザグ状というよりも、全体が中心線上に延びた幅広の直線溝状であって、ネジ貫通孔（３２１）が配置される部分が中心から偏倚した細溝状となっている。ネジ貫通孔（３２１）は、この細溝状部分の横に配置されて中心直線上に配設されている。太溝状部分は台座（３）内部を通る配線（７）を上方外部へ引き出すためのものである。
【０１４２】
このような長尺の台座（３）を介して間仕切壁（１）を立設させる場合、施工手順は上記第１１の実施形態で説明したものと同じであるが、たとえば図３２に例示したように、並設される複数の間仕切壁（１）を跨って固定するようにもできる。
【０１４３】
［第１２の実施形態］
図３３は、第１および第８の実施形態で説明したように、台座（３）の内部空間を配線スペースとして利用し、さらに側面（３３）に設けられたドライバー挿入口（３３１）を通線口として利用する場合について説明するための図である。
【０１４４】
この図３３では一方の間仕切壁（１）に対して他方の間仕切壁（１）を直角に連接させてＴ字壁を構成しており、配線（７）を、一方の間仕切壁（１）下の台座（３）の端部開口から内部配線スペースへ通し、さらに内部配線スペースから横方向に曲げて側面（３３）のドライバー挿入口（３３１）を通して他方の間仕切壁（１）下（図示していないが別の台座（３）の端部開口など）へ導いている。
【０１４５】
このように、間仕切壁（１）下の台座（３）を通線金具としても利用することで、間仕切壁（１）下の空間を通線空間として有効利用でき、よって配線（７）の引き回しを容易に且つ外に露出することなく行うことができる。
【図面の簡単な説明】
【０１４６】
【図１】この出願の発明の第１の実施形態を示した断面図である。
【図２】この出願の発明の第１の実施形態における台座を示した斜視図である。
【図３】この出願の発明の第１の実施形態における台座を示した展開図である。
【図４】この出願の発明の第２の実施形態における台座を示した斜視図である。
【図５】この出願の発明の第２の実施形態における台座を示した展開図である。
【図６】この出願の発明の第３の実施形態における台座を示した斜視図である。
【図７】この出願の発明の第３の実施形態を示した断面図である。
【図８】この出願の発明の第４の実施形態を示した断面図である。
【図９】この出願の発明の第５の実施形態を示した断面図である。
【図１０】この出願の発明の第６の実施形態における台座を示した斜視図である。
【図１１】この出願の発明の第６の実施形態における台座を示した展開図である。
【図１２】この出願の発明の第６の実施形態における別の台座を示した斜視図である。
【図１３】この出願の発明の第６の実施形態を示した断面図である。
【図１４】この出願の発明の第７の実施形態におけるランナーを示した断面図である。
【図１５】この出願の発明の第７の実施形態を示した断面図である。
【図１６】この出願の発明の第７の実施形態を示したさらに別の断面図である。
【図１７】この出願の発明の第８の実施形態におけるＬ型ランナーを用いた場合を示した断面図である。
【図１８】台座の別の一例を示した斜視図である。
【図１９】この出願の発明の第９の実施形態を示した断面図である。
【図２０】この出願の発明の第１０の実施形態における立設施工手順を説明するための斜視図である。
【図２１】図２０に続く立設施工手順を説明するための斜視図である。
【図２２】図２１に続く立設施工手順を説明するための斜視図である。
【図２３】この出願の発明の第１０の実施形態における別の立設施工手順を説明するための斜視図である。
【図２４】図２３に続く立設施工手順を説明するための斜視図である。
【図２５】図２４に続く立設施工手順を説明するための斜視図である。
【図２６】図２５に続く立設施工手順を説明するための斜視図である。
【図２７】この出願の発明の第１０の実施形態におけるさらに別の立設施工手順を説明するための斜視図である。
【図２８】図２７に続く立設施工手順を説明するための斜視図である。
【図２９】図２８に続く立設施工手順を説明するための斜視図である。
【図３０】図２９に続く立設施工手順を説明するための斜視図である。
【図３１】この出願の発明の第１１の実施形態を示した斜視図である。
【図３２】この出願の発明の第１１の実施形態を示した別の斜視図である。
【図３３】この出願の発明の第１２の実施形態を示した斜視図である。
【符号の説明】
【０１４７】
１  間仕切壁
１１  芯材
１１ａ  下部横芯材
１１ｂ  上部横芯材
１１ｃ  縦芯材
１１１  嵌入溝
１１２  通線孔
１２  板材
１３  軽鉄ランナー
１４  軽鉄スタッド
１４ａ  上部横軽鉄スタッド
１４ｂ  縦軽鉄スタッド
２  床
２１  床面
３  台座
３１  下面
３１１  ドライバー挿入口
３１２  ネジ貫通孔
３１３  傾斜部
３１４  盛上り部
３２  上面
３２１  ネジ貫通孔
３２２  間隙
３２３  突起
３２４  ガイド突起
３３  側面
３３１  ドライバー挿入口
３４  折返し片
３５  パッキン
４  固定ネジ
５  固定ネジ
６  ランナー
６１  中央突出部
６２  左右突出部
６３  傾斜突出部
６４  突出部
７  配線
８  板材
９  天井面
【図１】
2004278294.tif 000003
【図２】
2004278294.tif 000004
【図３】
2004278294.tif 000005
【図４】
2004278294.tif 000006
【図５】
2004278294.tif 000007
【図６】
2004278294.tif 000008
【図７】
2004278294.tif 000009
【図８】
2004278294.tif 000010
【図９】
2004278294.tif 000011
【図１０】
2004278294.tif 000012
【図１１】
2004278294.tif 000013
【図１２】
2004278294.tif 000014
【図１３】
2004278294.tif 000015
【図１４】
2004278294.tif 000016
【図１５】
2004278294.tif 000017
【図１６】
2004278294.tif 000018
【図１７】
2004278294.tif 000019
【図１８】
2004278294.tif 000020
【図１９】
2004278294.tif 000021
【図２０】
2004278294.tif 000022
【図２１】
2004278294.tif 000023
【図２２】
2004278294.tif 000024
【図２３】
2004278294.tif 000025
【図２４】
2004278294.tif 000026
【図２５】
2004278294.tif 000027
【図２６】
2004278294.tif 000028
【図２７】
2004278294.tif 000029
【図２８】
2004278294.tif 000030
【図２９】
2004278294.tif 000031
【図３０】
2004278294.tif 000032
【図３１】
2004278294.tif 000033
【図３２】
2004278294.tif 000034
【図３３】
2004278294.tif 000035